(57)【要約】【課題】自動料金収受システム用の車載ユニットにおいて、記録媒体に対応して積算額を管理する。【解決手段】送受信部３１は、ＥＴＣゲート１０との間で通信を行うことにより、装着されたＩＣカード２０によるサービスの利用に応じた利用情報を受信する。記憶装置３９は、それぞれが異なるＩＣカード２９に対応して、サービスの利用金額の積算額を個別に記憶する。ＥＴＣ処理部３６は、ＩＣカードインターフェース３７を介して、ＩＣカード２０から履歴情報を読み出し、履歴情報に基づいてＩＣカード２０を識別する。また、ＥＴＣ処理部３６は、ＩＣカード２０に対応する積算額を記憶装置３９から特定し、特定された積算額と、受信した利用情報に含まれるサービスの利用金額とに基づいて、ＩＣカード２０に対応した積算額を更新する。【選択図】図１
2006244308.tif 000002
【特許請求の範囲】
【請求項１】
路側装置と通信を行うことにより、サービスの利用金額の自動収受を行う自動料金収受システム用の車載ユニットにおいて、
前記サービスの利用に応じて装着され、自己のサービスの利用の履歴を示す履歴情報が記録される記録媒体との間でデータの読み書きを行うインターフェース手段と、
前記路側装置との間で通信を行うことにより、前記装着された記録媒体によるサービスの利用に応じた利用情報を受信する受信手段と、
前記サービスの利用金額の積算額を、それぞれが異なる前記記録媒体に対応して記憶する記憶手段と、
前記装着された記録媒体から、前記インターフェース手段を介して前記履歴情報を読み出し、当該履歴情報に基づいて前記記録媒体を識別する記録媒体識別手段と、
前記記録媒体識別手段によって識別された記録媒体に対応した積算額を前記記憶手段において特定し、当該特定された積算額と、前記受信手段によって受信された利用情報に含まれるサービスの利用金額とに基づいて、前記記録媒体に対応した積算額を更新する処理手段と
を有することを特徴とする自動料金収受システム用の車載ユニット。
【請求項２】
前記記憶手段は、前記利用金額の積算額と、当該積算額の算出に用いた前記利用情報とを関連付けて保持する個別積算データを、それぞれが異なる前記記録媒体に対応して記憶し、
前記処理手段は、前記インターフェース手段を介して、前記受信手段によって受信された利用情報を前記履歴情報として前記記録媒体に記録しており、
前記記録媒体識別手段は、前記装着された記録媒体から読み出された履歴情報に基づいて前記記憶手段を検索し、前記記録媒体の履歴情報と、個々の個別積算データの利用情報との対応関係を判断することにより、前記記録媒体を識別することを特徴とする請求項１に記載された自動料金収受システム用の車載ユニット。
【請求項３】
前記処理手段は、前記記録媒体識別手段によって前記記録媒体の履歴情報に対応した前記個別積算データが存在すると判断された場合には、前記記憶手段から対応する個別積算データを読み出し、当該読み出された個別積算データの積算額と、前記受信した利用情報の利用金額とに基づいて、前記記録媒体に対応した積算額を新たに算出し、前記個別積算データの積算額を更新することを特徴とする請求項２に記載された自動料金収受システム用の車載ユニット。
【請求項４】
前記利用情報は、前記サービスの利用日時をさらに含み、
前記処理手段は、前記記録媒体識別手段によって前記記録媒体の履歴情報に対応した前記個別積算データが存在しないと判断された場合には、前記利用日時に基づいて前記記憶手段を検索することにより、最も古い前記利用日時を保持する前記個別積算データを読み出し、当該読み出された個別積算データが保持する前記利用金額の積算額と前記利用情報とをクリアした上で、当該個別積算データに、前記受信した利用情報の利用金額と、当該利用情報とを関連付けて記憶させることを特徴とする請求項２に記載された自動料金収受システム用の車載ユニット。
【請求項５】
路側装置と通信を行うことにより、サービスの利用金額の自動収受を行う自動料金収受システム用の車載ユニットにおいて、
前記サービスの利用に応じて装着される記録媒体から前記サービスの利用履歴を示す履歴情報を読み出し、当該履歴情報に基づいて前記記録媒体を識別することにより、前記装着された記録媒体による前記サービスの利用に応じた利用金額の積算額を管理することを特徴とする自動料金収受システム用の車載ユニット。
【請求項６】
路側装置と通信を行うことにより、サービスの利用金額の自動収受を行う自動料金収受システム用の車載ユニットにおいて、
前記サービスの利用に応じて装着され、自己のサービスの利用の履歴を示す履歴情報が記録される記録媒体との間でデータの読み書きを行うインターフェース手段と、
前記路側装置との間で通信を行うことにより、前記装着された記録媒体によるサービスの利用に応じた利用情報を受信する受信手段と、
前記サービスの利用金額の積算額を、それぞれが異なる前記記録媒体に対応して記憶する記憶手段と、
前記装着された記録媒体から、前記インターフェース手段を介して前記履歴情報を読み出し、当該履歴情報に基づいて前記記録媒体を識別する記録媒体識別手段と、
前記記録媒体識別手段によって識別された記録媒体に対応した積算額を前記記憶手段において特定する処理手段と、
前記処理手段において特定された積算額をユーザに提示する提示手段と
を有することを特徴とする自動料金収受システム用の車載ユニット。
【請求項７】
路側装置と通信を行うことにより、サービスの利用金額の自動収受を行う自動料金収受システム用の車載ユニットの積算額算出方法において、
前記路側装置との間で通信を行うことにより、サービスの利用に応じた利用情報を受信する第１のステップと、
前記サービスの利用に応じて装着され、自己のサービスの利用の履歴を示す履歴情報が記録される記録媒体から前記履歴情報を読み出す第２のステップと、
前記記録媒体から読み出された履歴情報に基づいて前記記録媒体を識別する第３のステップと、
前記サービスの利用金額の積算額をそれぞれが異なる前記記録媒体に対応して記憶する記憶手段から、前記第３のステップにおいて識別された記録媒体に対応する積算額を特定し、当該特定された積算額と、前記第１のステップにおいて受信した利用情報に含まれるサービスの利用金額とに基づいて、前記記録媒体に対応した積算額を更新する第４のステップと
を有することを特徴とする自動料金収受システム用の車載ユニットの積算額算出方法。
【発明の詳細な説明】
【技術分野】
【０００１】
本発明は、自動料金収受システム用の車載ユニットおよびその積算額算出方法に関する。
【背景技術】
【０００２】
従来より、路側装置と通信を行うことにより、サービスの利用金額の自動収受を行う自動料金収受システム（一例として、ＥＴＣ）が知られている。例えば、特許文献１には、ユーザの利便性の向上をいった観点から、利用金額の積算額を表示するＥＴＣ車載ユニットが開示されている。なお、このＥＴＣ車載ユニットには、サービスの利用に応じて、ユニット本体に記録媒体としてのＩＣカードが装着されて使用される。
【特許文献１】特開２００４−２６５１０７号公報
【発明の開示】
【発明が解決しようとする課題】
【０００３】
しかしながら、従来の車載ユニットは、単に、一連のサービスの利用に関する積算額のみを管理しており、ユーザ（すなわち、記録媒体）が異なるケースでも、それを個別に管理することまではしていなかった。
【０００４】
本発明はこのような事情に鑑みてなされたものであり、その目的は、自動料金収受システム用の車載ユニットにおいて、記録媒体に対応して積算額を管理することである。
【課題を解決するための手段】
【０００５】
かかる課題を解決するために、本発明の自動料金収受システム用の車載ユニットは、インターフェース手段と、受信手段と、記憶手段と、記録媒体識別手段と、処理手段とを有する。インターフェース手段は、サービスの利用に応じて装着され、自己のサービスの利用の履歴を示す履歴情報が記録される記録媒体との間でデータの読み書きを行う。受信手段は、路側装置との間で通信を行うことにより、装着された記録媒体によるサービスの利用に応じた利用情報を受信する。記憶手段は、それぞれが異なる記録媒体に対応して、サービスの利用金額の積算額を個別に記憶する。記録媒体識別手段は、インターフェース手段を介して、記録媒体から履歴情報を読み出し、履歴情報に基づいて記録媒体を識別する。処理手段は、記録媒体識別手段によって識別された記録媒体に対応する積算額を記憶手段から特定し、特定された積算額と、受信手段によって受信された利用情報に含まれるサービスの利用金額とに基づいて、記録媒体に対応した積算額を更新する。
【発明の効果】
【０００６】
本発明によれば、記録媒体の履歴情報に基づいて記録媒体を識別し、かつ、記録媒体に対応して積算額を記録しているので、記録媒体に対応して積算額を個別に管理することができる。
【発明を実施するための最良の形態】
【０００７】
以下、本発明の実施形態を図面に基づいて説明する。図１は、自動料金収受システム１の構成図である。自動料金収受システム１は、路側装置と通信を行うことにより、サービスの利用金額の自動収受を行う自動料金収受システムであり、本実施形態では、自動的に有料道路の通行料金等の支払いを行うＥＴＣ（Electronic Toll Collection System）である。このＥＴＣ１は、路側装置であるＥＴＣゲート１０と、記録媒体としてのＩＣカード２０と、ＥＴＣ用の車載ユニット３０とで構成される。
【０００８】
このＥＴＣ１では、自車両がＥＴＣゲート１０を通過する前に、このＥＴＣゲート１０に係るサービスの利用状況がＩＣカード２０に予め記憶されている。すなわち、有料道路の入口ゲートにおいて、入口ゲート情報がＩＣカード２０に記憶される。自車両がＥＴＣゲート１０を通過する場合、車載ユニット３０は、サービスの利用状況、車両識別データ（車両の種別など）等をＩＣカード２０から取得して、これらをＥＴＣゲート１０に送信する。車載ユニット３０の送信に応じて、ＥＴＣゲート１０は、サービスの利用に応じた利用情報として、利用金額（例えば、通行料金）、利用日時、利用内容（例えば、料金所区間）等を送信する。車載ユニット３０は、利用情報を受信してその内容をＩＣカード２０に記憶し、これにより、サービスに関する一連の処理が終了する。
【０００９】
ＥＴＣゲート１０は、ＥＴＣ路側アンテナ１１を備え、自車両がＥＴＣゲート１０を通過する際に、利用金額、利用日時、利用内容といった利用情報を生成する。そして、ＥＴＣゲート１０は、ＥＴＣ路側アンテナ１１を介し、この生成した利用情報を車載ユニット３０に送信する。
【００１０】
ＩＣカード２０は、図示しない制御処理部および記憶装置２１で構成されており、ＥＴＣ１の使用時には、車載ユニット３０のスロット（図示せず）に装着されて使用される。ＩＣカード２０は、車載ユニット３０のスロットに差し込まれた状態において、車載ユニット３０からの要求に応じ、種々の情報を車載ユニット３０に対して出力する。そのため、記憶装置２１は、車両識別データ、履歴情報等のシステムの運用上必要と認められる各種の情報を記憶している。図２は、ＩＣカード２０の記憶装置２１に格納される履歴情報の説明図である。同図に示すように、この記憶装置２１には、過去の利用の履歴、例えば、利用金額、利用日時および利用内容といった利用情報の一覧が時系列的に記憶されている。
【００１１】
車載ユニット３０は、送受信部（受信手段）３１と、変復調部３２と、制御部３３と、表示装置（提示手段）３４と、ブザー３５と、ＥＴＣ処理部（記録媒体識別手段および処理手段）３６と、ＩＣカードインターフェース（インターフェース手段）３７と、セキュリティモジュール３８と、記憶装置（記憶手段）３９と、電源部４０とで構成される。
【００１２】
送受信部３１は、車載器側アンテナ３１ａを有し、ＥＴＣゲート１０から送信される信号を車載器側アンテナ３１ａで受信し、これを変復調部３２に対して出力する。また、送受信部３１は、変復調部３２から出力された信号を、車載器側アンテナ３１ａからＥＴＣゲート１０に送信する。
【００１３】
変復調部３２は、送受信部３１から出力された信号を復調し、これを制御部３３に対して出力する。また、変復調部３２は、制御部３３から出力された信号を変調し、これを送受信部３１に対して出力する。
【００１４】
制御部３３は、ＥＴＣゲート１０との通信制御を行う。具体的には、制御部３３は、変復調部３２から与えられた利用情報をＥＴＣ処理部３６に対して出力する。また、制御部３３は、ＥＴＣ処理部３６によってＩＣカード２０から読み出された車両識別データ等を変復調部３２に対して出力する。
【００１５】
表示装置３４は、後述するＥＴＣ処理部３６によって制御され、ＥＴＣゲートとの通信結果、および、利用金額の積算額を表示する。この表示装置３４は、車載ユニット３０と一体化されたディスプレイであってもよいし、本実施形態のように、ナビゲーション情報等を表示する車載ディスプレイを用いてもよい。そのため、本実施形態では、表示装置３４は、ＬＡＮトランシーバ４１を介して、車載ユニット本体と電気的に接続されている。この表示装置３４は、表示機（表示手段）３４ａと、操作スイッチ（入力手段）３４ｂと、描画処理ユニット３４ｃとで構成されている。
【００１６】
表示機３４ａは、ＣＲＴやＬＣＤといった周知のディスプレイである。操作スイッチ３４ｂは、車載ユニット３０の操作を行うスイッチであり、本実施形態では、表示機３４ａの表示画面上に表示された情報に従い、表示画面上で入力操作を行うことが可能なタッチパネル式の操作スイッチである（それ故に、表示装置３４は、表示手段としての機能のみならず、入力手段としての機能も兼ね備えている）。描画処理ユニット３４ｃは、ＥＴＣ処理部３６から出力された処理信号（表示情報）を、表示機３４ａに画像として描画するための描画信号を表示機３４ａに対して出力する。また、描画処理ユニット３４ｃは、操作スイッチ３４ｂの操作情報をＥＴＣ処理部３６に対して出力する。
【００１７】
ブザー３５は、ＥＴＣ処理部３６から出力された処理信号を、各種のブザー音として出力する。
【００１８】
ＥＴＣ処理部３６は、各種の処理を実行する処理部であり、本実施形態との関係では、利用金額の積算額を、利用者（正確には、ＩＣカード２０）に対応して管理する各種の処理を実行する。具体的には、ＥＴＣ処理部３６は、利用金額の積算額を算出する積算処理を実行する。また、ＥＴＣ処理部３６は、表示装置３４を制御し、算出された積算額を表示する表示処理を実行する。また、ＥＴＣ処理部３６は、必要に応じて、ＥＴＣゲート１０から送信された利用情報を記憶装置３９に記憶させたり、記憶装置３９が記憶している情報を消去したりすることができる。さらに、ＥＴＣ処理部３６は、制御部３３から出力された利用情報をセキュリティモジュール３８に出力し、また、セキュリティモジュール３８から出力されたＩＣカード２０内の情報を制御部３３に対して出力する。
【００１９】
ＩＣカードインターフェース（以下「ＩＣカードＩＦ」という）３７は、ＩＣカード２０が装着されるソケットに設けられており、ＩＣカード２０との間において、接触／非接触でデータの読み書きを行う。ＩＣカードＩＦ３７は、セキュリティモジュール３８から出力された利用情報をＩＣカード２０およびＥＴＣ処理部３６に対して出力する。また、ＩＣカードＩＦ３７は、ＩＣカード２０から取得した車両識別データ等のＥＴＣゲート側へ送信されるデータをセキュリティモジュール３８に対して出力したり、ＩＣカード２０から取得した履歴情報をＥＴＣ処理部３６に対して出力する。
【００２０】
セキュリティモジュール３８は、ＩＣカードＩＦ３７から出力された車両識別データ等を暗号化し、これをＥＴＣ処理部３６に対して出力する。また、セキュリティモジュール３８は、ＥＴＣ処理部３６から与えられる利用情報を解読し、これをＩＣカードＩＦ３７に対して出力する。
【００２１】
記憶装置３９は、各種のデータを記憶する装置であり、本実施形態との関係では、それぞれが異なるＩＣカード２０に対応した個別積算データ群を記憶している。図３は、車載ユニット３０の記憶装置３９が記憶する個別積算データの説明図である。個々の個別積算データは、積算額、利用日時、利用内容および利用金額を保持するフィールドが互いに関連付けられている。利用日時に対応するフィールドは、そのＩＣカード２０に関する直近のサービス利用にともなう利用日時を保持する。利用内容に対応するフィールドは、そのＩＣカード２０に関する直近のサービス利用にともなう利用内容（本実施形態では、料金所区間）を保持する。また、利用金額に対応するフィールドには、そのＩＣカード２０に関する直近のサービス利用にともなう利用金額（本実施形態では、通行料金）が保持する。利用日時、利用内容および利用金額に関する各フィールドには、同一の利用情報に含まれる各情報がそれぞれ保持されており、積算額に関するフィールドには、この利用情報に含まれる利用金額を含む過去の利用金額の積算額が保持される。換言すれば、この個別積算データは、利用金額の積算額と、積算額の算出対象となる利用金額に対応した利用情報とを関連付けて保持することとなる。
【００２２】
電源部４０は、自車両の電源から与えられる電力を車載ユニット３０の各構成要素に供給する。
【００２３】
以下、ＥＴＣゲート１０を通過した際の、車載ユニット３０による一連の処理の手順について説明する。まず、前提として、車両がＥＴＣゲート１０を通過する場合、車載ユニット３０は、ＥＴＣゲート１０から利用情報を受信する。送受信部３１は、車載器側アンテナ３１ａを介して利用情報を受信すると、これを変復調部３２に対して出力する。出力された利用情報は、変復調部３２によって復調された後、制御部３３に対して出力され、制御部３３は、この復調された利用情報をＥＴＣ処理部３６に対して出力する。ＥＴＣ処理部３６は、利用情報をセキュリティモジュール３８に対して出力し、これにより、暗号化して送信された利用情報がセキュリティモジュール３８によって解読される。セキュリティモジュール３８は、この解読された利用情報（すなわち、利用金額および利用日時）を、ＩＣカードＩＦ３７に対して出力する。
【００２４】
ＩＣカードＩＦ３７は、セキュリティモジュール３８から利用情報を受信すると、これをＩＣカード２０に対して出力する。ＩＣカード２０の制御処理部は、取得した利用情報を記憶装置２１に格納し、これにより、ＩＣカード２０には、図２に示すように、利用日時、利用内容および利用金額を含む新たな利用情報が履歴情報として記録される。
【００２５】
また、ＩＣカードＩＦ３７は、セキュリティモジュール３８から利用情報を受信すると、これをＥＴＣ処理部３６に対して出力する。そして、ＥＴＣ処理部３６は、この利用情報、すなわち、利用金額と利用日時とを表示機３４ａに表示するように、表示装置３４を制御する。具体的には、ＥＴＣ処理部３６は、利用金額および利用日時を表示情報として描画処理ユニット３４ｃに出力し、これにより、描画処理ユニット３４ｃは、利用金額と利用日時とを（或いは、単に利用金額のみを）表示機３４ａに表示する。
【００２６】
ＥＴＣゲート１０の通過に伴う一連の処理が終了すると、車載ユニット３０は、利用金額の積算額を算出する積算処理を実行する。ここで、図４は、車載ユニット３０による一連の処理の手順を示すフローチャートである。
【００２７】
まず、ステップ１において、ＥＴＣ処理部３６は、ＩＣカードＩＦ３７を介して、ＩＣカード２０から履歴情報を読み出す。すなわち、ＥＴＣ処理部３６が、ＩＣカードＩＦ３７を介して、ＩＣカード２０の制御処理部に対して履歴情報の読み出しを指示すると、この制御処理部は、ＩＣカード２０の記憶装置２１から履歴情報を読み出す。この際、ＩＣカード２０の制御処理部は、例えば、最大で20件程度の過去の利用情報の一覧を履歴情報として読み出し（なお、先に記録した利用情報は読み出さなくてもよい）、これをＩＣカードＩＦに対して出力する。そして、ＩＣカードＩＦ３７は、この履歴情報をＥＴＣ処理部３６に対して出力する。
【００２８】
ステップ２において、ＥＴＣ処理部３６は、ＩＣカード２０から読み出した履歴情報に基づいて記憶装置３９を検索し、この読み出された履歴情報に対応する利用情報を保持する個別積算データが存在するか否かを判断する。現在車載ユニット３０に装着されているＩＣカード２０が、この車載ユニット３０で過去に利用されたことがあり、かつ、ある度利用頻度の高いものである場合には、記憶装置３９には、その利用に応じた積算額と利用情報とを保持する個別積算データが存在する。そのため、このステップ２では、ＩＣカード２０の履歴情報と、個々の個別積算データの利用情報との対応関係を判断することにより、ＩＣカード２０の識別を行う。
【００２９】
このステップ２において肯定判定された場合、すなわち、履歴情報に対応する個別積算データがある場合には、ステップ３に進む。そして、ステップ３において、ＥＴＣ処理部３６は、該当する個別積算データを記憶装置３９から読み出し、この内容をワークエリア（ＲＡＭ（図示せず））に展開する。
【００３０】
一方、ステップ２において否定判定された場合、すなわち、履歴情報に対応する個別積算データがない場合には、ステップ４に進む。ステップ４において、ＥＴＣ処理部３６は、利用情報をベースに記憶装置３９を検索することにより、最も古い利用日時を保持する個別積算データを特定する。そして、ステップ５において、ＥＴＣ処理部３６は、特定された個別積算データが保持する積算額と利用情報（利用日時、利用内容および利用金額）とをクリアした上で、この内容（すなわち、積算額「0」、利用情報「なし」）をワークエリア（ＲＡＭ（図示せず））に展開する。
【００３１】
ステップ３またはステップ５に続くステップ６では、ＥＴＣ処理部３６は、現在受信した利用情報の利用金額を考慮して、このＩＣカード２０の積算額を算出する。具体的には、ＥＴＣ処理部３６は、利用情報の利用金額と、読み出された個別積算データに記憶された積算額とに基づいて、すなわち、両者を加算することにより、積算額を新たに算出する。例えば、ＩＣカード２０に対応する個別積算データが存在する場合には、このステップ６で算出される積算額は、この個別積算データが保持する積算額に、現在の利用に応じた利用金額が加算された金額となる。これに対して、ＩＣカード２０に対応する個別積算データが存在していない場合には、このステップ６で算出される積算額は、この個別積算データが保持する積算額（「0」）に、現在の利用に応じた利用金額が加算された金額となる。
【００３２】
ステップ７において、ＥＴＣ処理部３６は、利用情報を取得したか否かを判定する。すなわち、ユーザが新たにサービスを利用した場合には、ＥＴＣゲート１０から新たな利用情報が送信されるため、このステップ７において肯定判定され、ステップ６に戻る。そして、ステップ６において、この取得した積算額と、先に算出された積算額とを加算することにより、積算額を再度算出する。一方、ユーザが新たにサービスを利用していない場合には、新たな利用情報が送信されることはないので、このステップ７において否定判定され、ステップ８に進む。
【００３３】
ステップ８において、ＥＴＣ処理部３６は、装着されてＩＣカード２０がソケットから排出されたか否かを判断する。このステップ８において肯定判定された場合、すなわち、ＩＣカード２０が排出された場合には、ステップ１０に進む。一方、ステップ８において否定判定された場合、すなわち、ＩＣカード２０が装着されたままである場合には、ステップ９に進む。
【００３４】
ステップ９では、ＥＴＣ処理部３６は、ユーザによって電源のオフ操作がなされたか否かを判断する。このステップ９において肯定判定された場合、すなわち、電源オフがなされた場合には、ステップ１０に進む。一方、ステップ９において否定判定された場合、すなわち、電源オンのままである場合には、ステップ７に戻り、上述した利用情報の取得判定を行う。
【００３５】
ステップ１０において、ＥＴＣ処理部３６は、現在ワークエリアに展開している利用金額および利用情報を、該当する個別積算データに格納し、従前の情報を更新する。
【００３６】
このような一連の積算処理とともに、あるタイミングにおいて、ユーザから積算額の表示要求がなされると、車載ユニット３０は、積算額をその積算期間とともに表示する表示処理を実行する。ここで、図５は、表示処理の手順を示すフローチャートである。
【００３７】
まず、ユーザによって操作スイッチ３４ｂが操作され、ユーザが利用した利用金額の積算額の表示を要求する入力がなされると（利用積算額要求）、操作スイッチ３４ｂから利用積算額要求に応じた信号が描画処理ユニット３４ｃに入力される（ステップ２０）。たとえば、描画処理ユニット３４ｃは、予め表示機３４ａの表示画面の一部に、利用積算額の表示操作を促すシンボル或いはテキスト文字を表示しておく。そして、この表示箇所をユーザがタッチすることにより、利用積算額要求に応じた信号が描画処理ユニット３４ｃに入力されるといった如くである。そして、ステップ２１において、描画処理ユニット３４ｃは、この利用積算額要求に応じた信号をＥＴＣ処理部３６に対して出力する。
【００３８】
描画処理ユニット３４ｃから利用積算額要求を受信すると、ステップ２２において、ＥＴＣ処理部３６は、ワークエリアに展開している積算額の現在値を読み出す。
【００３９】
ステップ２３において、ＥＴＣ処理部３６は、この積算額を表示情報として、描画処理ユニット３４ｃに対して出力する。そして、ステップ２４において、描画処理ユニット３４ｃは、ＥＴＣ処理部３６から出力された表示情報に基づいて、積算額を表示機３４ａに表示する。
【００４０】
このように本実施形態によれば、ＩＣカード２０の利用に関する利用金額の積算額が、ＩＣカード２０に応じて記憶装置３９に個別に記憶される。そして、ＥＴＣ処理部３６は、装着されたＩＣカード２０から履歴情報を読み出し、この履歴情報に基づいてＩＣカード２０を識別することにより、ＩＣカード２０に対応する積算額を記憶装置３９から特定する。これにより、ＥＴＣ処理部３６は、この特定された積算額と、受信した利用情報に含まれるサービスの利用金額とに基づいて、利用金額の積算額を更新する。このように、ＩＣカード２０の履歴情報に基づいてＩＣカード２０を識別し、かつ、ＩＣカード２０に対応して積算額を個別に記録しているため、積算額をＩＣカード２０に対応して個別に管理することができる。
【００４１】
ところで、ＥＴＣの運用規格によれば、ＩＣカード２０には、そのカードを識別するための固有の番号が格納されている。具体的には、（財）道路厚生会発行、「ＥＴＣアプリケーションインタフェース仕様書（狭域無線）」の「付属資料３  ＥＴＣデータ項目一覧」を参照するに、ＩＣカード２０内には、ＩＣカードの個体識別番号を示すＩＣカード情報が契約情報として記録される。このような識別番号がＩＣカードに記録されいる以上、この契約情報に基づいて、異なるＩＣカード２０を個別に認識し、この積算額をＩＣカード２０に対応付けて管理することも考えられる。しかしながら、ＥＴＣの運用上、このＩＣカード２０の個体識別番号を示すＩＣカード情報を含む契約情報は、ＩＣカード２０とＥＴＣ処理部３６との間では、入出力データとして扱われていない（参照：発行（財）道路厚生会、「ＥＴＣ車載器仕様書・車載器詳細基準」）。そのため、この契約情報によってＩＣカード２０を識別することはできない。
【００４２】
この点、本実施形態によれば、ＩＣカード２０とＥＴＣ処理部３６との間では、入出力データとして扱われている履歴情報に基づいて、ＩＣカード２０を識別しているため、その利用に伴う積算額をＩＣカード２０に対応して管理することができる。これにより、ユーザの利便性の向上を図ることができる。
【００４３】
また、本実施形態によれば、車載ユニット３０の記憶装置３９は、利用金額の積算額と、この積算額の算出対象となる利用金額に対応する利用情報とを関連付けて保持する個別積算データを、それぞれが異なるＩＣカード２０に対応して記憶している。一方、ＥＴＣ処理部３６は、受信した利用情報を履歴情報としてＩＣカード２０に記録している。これにより、積算額とＩＣカード２０とを、履歴情報（利用情報）介して相互に関連付けることができる。すなわち、ＥＴＣ処理部３６は、ＩＣカード２０から読み出された履歴情報に基づいて記憶装置３９を検索することにより、ＩＣカード２０の履歴情報と、個別積算情報との対応関係に応じて、ＩＣカード２０の識別を行うことが可能となる。
【００４４】
さらに、本実施形態によれば、ＥＴＣ処理部３６は、履歴情報に対応する個別積算データが存在する場合には、該当する個別積算データを読み出し、受信された利用情報の利用金額と、読み出された個別積算データに記憶された積算額とに基づいて、積算額を新たに算出する。そして、ＥＴＣ処理部３６は、個別積算データが保持する積算額を更新する。これにより、ＩＣカード２０の利用に応じて、その該当する積算額が更新されることにより、記憶装置３９に格納される個別の積算額の正確性を維持することができる。また、ＥＴＣ処理部３６は、利用情報によって、読み出された個別積算データが保持する利用情報を更新する。これにより、積算額と利用情報との対応付けが更新されるので、ＩＣカード２０を信頼性よく特定することができる。
【００４５】
さらに、本実施形態によれば、利用情報には、サービスの利用日時がさらに含まれている。この場合、ＥＴＣ処理部３６は、ＩＣカード２０から読み出された履歴情報に対応する個別積算データが存在しない場合には、利用情報をベースに記憶装置３９を検索することにより、最も古い利用日時を保持する個別積算データを読み出す。そして、ＥＴＣ処理部３６は、読み出された個別積算データが保持する利用金額の積算額と、利用情報とをクリアした上で、この個別積算データに、積算額である受信した利用情報の利用金額と、利用情報を関連づけた上で記録する。これにより、新規のＩＣカード２０（或いは、ある程度期間を経た後、再度ＩＣカード２０）が装着された場合には、最古の個別積算データがこのＩＣカード２０用のデータに書き換えられる。そのため、個別積算データのデータ数を制限することにより、記憶装置３９の記憶容量を抑えることができる。
【００４６】
なお、個別積算データの上限数を低く設定しすぎると、積算額の継続性が維持されない可能性もあるので、この数は、車載ユニット３０の使用形態に応じて適宜変更することができる。すなわち、同一の車載ユニット３０を多くのユーザ（ＩＣカード２０）で共有するケースには、この個別積算データの上限数をある程度大きな値に設定し、少数のユーザ（ＩＣカード２０）で共有するケースには、この個別積算データの上限数をある程度小さな値に設定するといった如くである。
【００４７】
なお、上述した第１または第２の本実施形態では、積算額をユーザに表示しているが、本発明はこれに限定されるものではない。たとえば、表示装置３４に代えて、スピーカなどの出力装置を用いることも可能であり、これらの情報をユーザに提示することができる手段であれば、その構成は任意に選択することができる。
【図面の簡単な説明】
【００４８】
【図１】自動料金収受システム１の構成図である。
【図２】ＩＣカード２０の記憶装置２１に格納される履歴情報の説明図である。
【図３】車載ユニット３０の記憶装置３９が記憶する個別積算データの説明図である。
【図４】車載ユニット３０による一連の処理の手順を示すフローチャートである。
【図５】表示処理の手順を示すフローチャートである。
【符号の説明】
【００４９】
１      ＥＴＣ
１０    ＥＴＣゲート
１１    ＥＴＣ路側アンテナ
２０    ＩＣカード
２１    記憶装置
３０    車載ユニット
３１    送受信部
３２    変復調部
３３    制御部
３４    表示装置
３５    ブザー
３６    ＥＴＣ処理部
３７    ＩＣカードインターフェース
３８    セキュリティモジュール
３９    記憶装置
４０    電源部
４１    ＬＡＮトランシーバ
【図１】
2006244308.tif 000003
【図２】
2006244308.tif 000004
【図３】
2006244308.tif 000005
【図４】
2006244308.tif 000006
【図５】
2006244308.tif 000007